(57)【要約】【課題】光学式ピックアップよりディスクに対して信号の記録再生動作を行う光ディスク記録再生装置の記録パルス制御方法を提供する。【解決手段】ディスクから得られるＡＴＩＰ信号に基づく規定密度による記録動作及び該ＡＴＩＰ信号に基づく高密度による記録動作を行うことが出来る光ディスク記録再生装置において、規定密度による記録動作を行う場合と高密度記録動作を行う場合の記録パルスの波形を相違させることによって良好な記録特性を得る。【選択図】　　図１
2004127419.tif 000002
【特許請求の範囲】
【請求項１】
ディスクから得られるＡＴＩＰ信号に基づく規定密度による記録動作及び該ＡＴＩＰ信号に基づく高密度による記録動作を行うことが出来る光ディスク記録再生装置において、規定密度による記録動作を行う場合と高密度記録動作を行う場合の記録パルスの波形を相違させたことを特徴とする光ディスク記録再生装置の記録パルス制御方法。
【請求項２】
規定密度による記録動作を行う場合の記録パルスの波形を２値パルスとし、高密度による記録動作を行う場合の記録パルスの波形を３値パルスとしたことを特徴とする請求項１に記載の記録パルス制御方法。
【請求項３】
規定密度による記録動作を行う場合の記録パルスの波形をシングルパルスとし、高密度による記録動作を行う場合の記録パルスの波形をマルチパルスとしたことを特徴とする請求項１に記載の記録パルス制御方法。
【発明の詳細な説明】
【０００１】
【発明の属する技術分野】
本発明は、光学式ピックアップより照射されるレーザー光によってディスクに信号を記録するとともにレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
信号を記録することが出来るディスクには、プリグループと呼ばれる溝が形成されており、このプリグループから得られるウォブル信号を復調することによって得られるＡＴＩＰと呼ばれる絶対時間情報を利用して信号の記録動作を行うように構成されている。一般の光ディスク記録再生装置は、ディスクから得られるＡＴＩＰ信号にて規定されている記録密度で信号の記録動作を行うように構成されているが、このＡＴＩＰ信号にて規定される密度ではなく同一のディスクに高密度にて記録動作を行うことが出来る技術が開発されている（例えば特許文献１参照。）。
【０００４】
斯かる光ディスク記録再生装置では、パルス状のレーザー光によってディスク上にピットを形成するように構成されているが、レーザー光のパルス波形が最適でなかった場合には、ピットの形状が規定の大きさに対して大きすぎたり小さすぎたりすることになるので、記録パルスの波形を制御するようにされている（例えば特許文献２参照。）。
【０００５】
【特許文献１】
特開２００２−５６６１７号公報
【特許文献２】
特開２００２−２３７０４２号公報
【０００６】
【発明が解決しようとする課題】
ディスクから得られるＡＴＩＰ信号によって規定されている記録密度である規定の密度にて信号の記録動作を行う場合と比較して高密度にて信号を記録する場合には、レーザー光によってディスク上に形成されるピットの長さが短くなる。そして、規定密度による記録動作に使用されるパルス波形のレーザー光を使用して高密度にて記録動作を行うとピットの形状が規定の形状とは異なり、記録特性が悪化するという問題がある。
【０００７】
本発明は、斯かる問題を解決することが出来る記録パルスの制御方法を提供しようとするものである。
【０００８】
【課題を解決するための手段】
本発明は、ディスクから得られるＡＴＩＰ信号に基づく規定密度による記録動作及び該ＡＴＩＰ信号に基づく高密度による記録動作を行うことが出来る光ディスク記録再生装置において、規定密度による記録動作を行う場合と高密度記録動作を行う場合の記録パルスの波形を相違させるように構成されている。
【０００９】
【実施例】
図１は本発明に係る光ディスク記録再生装置の一実施例を示す回路図、図２、図３及び図４は本発明を説明するための波形図である。
【００１０】
図１において、１は光学式ピックアップに組み込まれているとともにレーザー光を照射するレーザーダイオードであり、レーザー駆動回路２から供給される電流によって駆動されるように接続されている。３は前記レーザーダイオード１より出力されるレーザー光のレベルをモニターするべく光学式ピックアップ内に設けられているモニター用ダイオード、４は前記モニター用ダイオード３から得られるモニター信号が入力されるモニター信号増幅回路であり、モニター信号を増幅する作用を有している。
【００１１】
５は前記モニター信号増幅回路４より出力されるモニター信号に基づいてレーザー出力を制御するとともにレーザーダイオード１にレーザー駆動回路２より供給される駆動電流の波形を制御する制御回路、６は前記制御回路５によって動作が制御される第１レベル信号出力回路であり、ディスクに信号を記録することが出来ない出力レベルＰ１の信号をレーザー駆動回路２より出力させる信号を出力するように設定されている。７は前記制御回路５によって動作が制御される第２レベル信号出力回路であり、ディスクに信号を記録する出力レベルＰ２の信号をレーザー駆動回路２より出力させる信号を出力するように設定されている。８は前記制御回路５によって動作が制御される第３レベル信号出力回路であり、前記出力レベルＰ２より高い出力である出力レベルＰ３の信号をレーザー駆動回路２より出力させる信号を出力するように設定されている。
【００１２】
９は前記第１レベル信号出力回路６、第２レベル信号出力回路７及び第３レベル信号出力回路８の出力信号が入力される加算回路であり、前記制御回路５による制御動作によって入力される信号の選択加算動作を行いその選択加算された信号を前記レーザー駆動回路２に供給するように構成されている。
【００１３】
斯かる構成において、レーザーダイオード１より照射されるレーザー光のレベルは、モニター用ダイオード３によってモニターされる状態にある。そして、前記モニター用ダイオード３より得られるモニター信号は、モニター信号増幅回路４に入力されて増幅された後制御回路５に入力される。斯かるモニター信号が入力されると、前記制御回路５は、前記第２レベル信号出力回路７より出力される信号のレベル、即ち出力レベルＰ２を一定のレベルに維持するべく制御するように構成されている。
【００１４】
また、本発明に係る光ディスク記録再生装置は、ディスクから得られるＡＴＩＰ信号に基づいて信号の記録動作を行う規定密度による記録動作と、該ＡＴＩＰ信号を利用するものの記録密度を高くして信号を記録するという高密度記録動作を行うことが出来るように構成されている。斯かる技術は特許文献１に開示されており、その詳細については省略する。
【００１５】
以上に説明したように本発明に係る光ディスク記録再生装置は構成されているが、次に動作について説明する。ディスクに設けられているプリグループより得られるＡＴＩＰ信号に基づいて規定の密度による記録動作を行う場合には、制御回路５による制御動作によって第１レベル信号出力回路６及び第２レベル信号出力回路７から夫々出力レベルＰ１及び出力レベルＰ２の信号をレーザー駆動回路２から出力させるための信号を出力させる制御動作が行われる。
【００１６】
そして、入力される記録信号に応じて加算回路９の加算制御動作を制御回路５が行い、その加算制御された信号がレーザー駆動回路２に供給される。その結果、レーザー駆動回路２から図２に示す波形、即ち出力レベルＰ１と出力レベルＰ２より成るパルス波形の駆動信号がレーザーダイオード１に供給される。そして、斯かるパルス波形のパルス幅は記録信号の長さに応じて変化することになり、規定密度に適した記録動作を行うことが出来る。このように規定密度による記録動作を行う場合の記録パルスの波形は、出力レベルＰ１及び出力レベルＰ２より成るパルス、即ち２値パルスとなる。
【００１７】
規定密度による記録動作を行う場合の記録パルスは、前述したように生成されるが、次に高密度記録動作を行う場合について説明する。ディスクに設けられているプリグループより得られるＡＴＩＰ信号に基づいて規定の密度より高密度である記録動作を行う場合には、制御回路５による制御動作によって第１レベル信号出力回路６、第２レベル信号出力回路７及び第３レベル信号出力回路８から夫々出力レベルＰ１、出力レベルＰ２及び出力レベルＰ３の信号をレーザー駆動回路２から出力させるための信号を出力させる制御動作が行われる。
【００１８】
そして、入力される記録信号に応じて加算回路９の加算制御動作を制御回路５が行い、その加算制御された信号がレーザー駆動回路２に供給される。その結果、レーザー駆動回路２から図３に示す波形、即ち出力レベルＰ１、出力レベルＰ２及び出力レベルＰ３より成るパルス波形の駆動信号がレーザーダイオード１に供給される。そして、斯かるパルス波形のパルス幅及び出力レベルＰ３が出力される時間幅Ｔは記録信号の長さに応じて変化することになり、高密度に適した記録動作を行うことが出来る。このように高密度による記録動作を行う場合の記録パルスの波形は、出力レベルＰ１、出力レベルＰ２及び出力レベルＰ３より成るパルス、即ち３値パルスとなる。
【００１９】
前述した実施例では、高密度記録動作を行う場合の記録パルスの波形を図３に示すような３値のパルスとしたが、図４に示すマルチパルスとすることも出来る。この場合には、制御回路５の制御動作によって第１レベル信号出力回路６及び第２レベル信号出力回路７から夫々出力レベルＰ１及び出力レベルＰ２の信号をレーザー駆動回路２から出力させるための信号を出力させる制御動作が行われる。
【００２０】
そして、入力される記録信号に応じて加算回路９の加算制御動作を制御回路５が行い、その加算制御された信号がレーザー駆動回路２に供給されるが、出力レベルＰ２の出力動作は信号の長さに応じて間欠的におこなわれる。その結果、レーザー駆動回路２から図２に示す波形、即ち出力レベルＰ１と出力レベルＰ２より成る複数のパルス信号より構成される駆動信号がレーザーダイオード１に供給される。そして、斯かる複数のパルスより構成されるパルス信号の出力幅は記録信号の長さに応じて変化することになり、規定密度に適した記録動作を行うことが出来る。このように規定密度による記録動作を行う場合の記録パルスは、１つのパルス信号より成るシングルパルス信号となり、高密度による記録動作を行う場合の記録パルスは、複数のパルスより成るマルチパルスとなる。
【００２１】
【発明の効果】
本発明は、ディスクから得られるＡＴＩＰ信号に基づく規定密度による記録動作及び該ＡＴＩＰ信号に基づく高密度による記録動作を行うことが出来る光ディスク記録再生装置において、規定密度による記録動作を行う場合と高密度記録動作を行う場合の記録パルスの波形を相違させたので、各記録密度に適した記録動作を行うことが出来る。
【図面の簡単な説明】
【図１】本発明に係る光ディスク記録再生装置の一実施例を示す回路図である。
【図２】本発明に係るレーザーダイオードを駆動するパルス信号の波形図である。
【図３】本発明に係るレーザーダイオードを駆動するパルス信号の波形図である。
【図４】本発明に係るレーザーダイオードを駆動するパルス信号の波形図である。
【符号の説明】
１　　　　レーザーダイオード
２　　　　レーザー駆動回路
５　　　　制御回路
６　　　　第１レベル信号出力回路
７　　　　第２レベル信号出力回路
８　　　　第３レベル信号出力回路
９　　　　加算回路
【図１】
2004127419.tif 000003
【図２】
2004127419.tif 000004
【図３】
2004127419.tif 000005
【図４】
2004127419.tif 000006